(57)【要約】【課題】導尿バックの損傷破損防止等の課題解決の保護容器を得る。【解決手段】導尿バック１０の収納に導尿バック１０の把手空間部９に着目、この空間部を利用し導尿バック１０収納固定用の着脱装置付バンド４を考案、これを考案した出し入れ口３の中央部に取り付けて、これにより導尿バック安定収納の解決を図った。また尿漏れ防止に半密封式の容器とし、尿漏れ防止の解決を図った。【選択図】　　　　　　図８
2004008446.tif 000002
【特許請求の範囲】
【請求項１】
箱型容器（１）の縦上方外側端に容器の吊り下げ、携行用の把手（２）を設け、同把手（２）の直下部表面側に導尿バック収納の出し入れ口（３）を設け、箱型容器（１）の中央に導尿バック固定用の、着脱可能バンド（４）を設けた、バンド（４）は片側一方端を箱型容器（１）上表面中央外面に表面固定部（５）を設けて固定、他の一方端は箱型容器（１）の中央内側底部に底内面固定部（６）を設けて固定される構造とし、底内面固定部（６）の位置は箱型容器（１）の上部に若干の隙間を持たせて導尿バック把手空間部（９）とバンド（４）が交差収納が出来る余裕の空間を与えた構造としてある。
【請求項２】
バンド（４）はバンドが固定される一方端の表面固定部（５）の隣接位置に着脱装置（７）を設けバンド（４）は着脱開放可能の構造とし、バンド（４）の寸法幅は、収納される導尿バック把手空間部（９）の幅寸法より小寸法とし、バンド（４）はこの導尿バック把手空間部（９）を通過させて装着させる要領とし、これにより収納導尿バック把手部が箱型容器（１）内に固着され、導尿バック収納取り出しは着脱装置（７）を介し容易に固定着脱の出来る構造としてある。
箱型容器（１）の角隅の底角部（８）は湾曲に角を削り、箱型容器（１）が置かれた状態で、滑らかに引き摺られる構造とし、箱型容器（１）内部は容器密封一体化により外への尿漏れ防止に半密封式構造とし、また容器材の着色により集納尿の外部視野からの透視防止を図った構造としてある導尿バック用保護容器。
【発明の詳細な説明】
【０００１】
【発明の属する技術分野】
本発明は、導尿バックの使用に当たり導尿バックの損傷破損尿漏れ防止，取扱い安全保護及び外部からの汚物視線防止、体裁等に利する導尿バック用保護容器に関するものである。
【０００２】
【従来の技術】
従来、導尿バック専用の保護容器に関するものは未だ公開されていない。
【０００３】
【発明が解決しようとする課題】
従来、この種専用の導尿バック用保護容器は公開されず、独自の考案であり以下に挙げる課題を持つ。
１、導尿バックの保護要領。
２、導尿バックの収納固定同取り出し要領。
３、尿漏れ防止。
４、容器保持要領。
５、容器の軽量化と全体形状。
６、容器材質。
７、容器着色。
等の問題あり。
【０００４】
本発明は、導尿バックの損傷破損防止、外部尿漏れ防止を目的としており、特に寝具内の尿漏れの場合は大変厄介な処理作業となり精神的不安が大でこれらの不安を取り除き、また携行も安全便利な保護容器を提供することを目的としている。
【課題を解決するための手段】
【０００５】
上記目的を達成するために、本発明の導尿バック用保護容器においては、容器保持には把手（２）を取り付け、バックの収納取り出しに、容器表側に矩形大型の出し入れ口（３）を設けた。
【０００６】
また収納した導尿バックの安定固定着脱に導尿バック把手空間部（９）を着目、この導尿バック把手空間部（９）を利用するバンド（４）を箱型容器（１）中央部に設け、このバンド（４）をこの空間部を通す要領を取り、通過してから導尿バック（１０）を固定する着脱装置（７）をバンド（４）に設けて、導尿バックの固定及び着脱容易の課題解決手段とした。
【０００７】
保護容器の強化軽量は容器材質を化学樹脂、軽金属等を用いこれに着色し、携行容易安全保護透視防止等課題解決の手段とした。
【０００８】
また箱型容器（１）の底角部（８）を削り丸みを付け、全体形状に寝具等との摩擦による引張られ原因の尿漏れ防止等課題解決の手段とした。
【０００９】
【発明の実施の形態】
発明の実施の形態を実施例にもとづき図面の図１〜図８を参照して説明する。図１〜５において、箱型容器（１）は、方形の左右横幅凡そ長さ約３２０ｍｍ縦方向幅凡そ長さ約２８５ｍｍ深さ凡そ約４０ｍｍの箱型の構造とし、また容器材質の着色により外部視線の透視防止を図った構造としてある。
【００１０】
図１〜４に示される実施例では、携行、吊り下げの便利を図り把手（２）を、図１、図４に示すように箱型容器（１）の縦方向上部端に当たる側面中央部に凡そ長さ約１７５ｍｍ幅凡そ長さ約２０ｍｍ厚み凡そ長さ約１０ｍｍ指を入れる空間部凡そ長さ約９０ｍｍ×約４ｍｍを設けて取り付けている。
【００１１】
図１，７，８に示される実施例では、導尿バック収納出し入れ用に矩形空間の出し入れ口（３）を設けた、位置は出し入れに便利に図１に示すように把手（２）の直下部表面側に大型矩形とし左右横幅凡そ長さ約３００ｍｍ上下縦方向幅凡そ長さ約１００ｍｍの構造としている。
【００１２】
図１〜８に示される実施例では、箱型容器（１）の中央の位置に図１に示すように導尿バック固定用着脱可能のバンド（４）を設けた、バンド（４）は全長凡そ長さ約２５５ｍｍ幅凡そ約２７ｍｍ厚み凡そ長さ約４ｍｍの構造としている。
【００１３】
図７に示される実施例では、バンド（４）の両端は固定の構造として有り上端には、表面固定部（５）固定部の長さ凡そ約２５ｍｍを設け、下端に底内面固定部（６）固定部の長さ凡そ３５ｍｍを設けてバンド（４）はこの両固定部により固定される、底内面固定部（６）の位置は図７に示す箱形容器（１）の上部内側端中央端より凡そ長さ約７５ｍｍ内部の位置で底内面固定部（６）が固定され、この凡そ長さ約７５ｍｍの空間内に導尿バック把手空間部（９）が収まる構造としている。
【００１４】
図１、３、６、７、８に示される実施例では、バンド（４）の固定着脱自由とするため表面固定部（５）の隣接位置に着脱装置（７）をバンド（４）に取り付けている。
着脱装置（７）の構造は図６に示される実施例では、雌側と雄側が嵌合しあい着脱する装置でバンド装着結合状態時の全長凡そ長さ約４５ｍｍ幅凡そ長さ約３２ｍｍ厚み凡そ長さ約８ｍｍの構造としているが、尚着脱装置（７）は市販適当品を充当する。
【００１５】
図３に示される実施例では、把手（２）側、図３の右方の底角部（８）は端部より凡そ約６０ｍｍ内部より内角度凡そ約１６３度の角度に曲げた形の構造とし反対側、図３の左方の底角部（８）は角部を円形の構造としてある。
【００１６】
【発明の効果】
本発明は、以上説明したように構造されているので、以下に記載されるような効果を奏する。
【００１７】
保護容器使用により、導尿バックの損傷破損を防ぎ尿漏れ防止効果大が期待出来る。
また日常行動に精神的安定安心の効果をも得る。
【００１８】
導尿バック内の尿は透視出来るが保護容器使用によりこれの遮蔽防止が出来、外部視線遮蔽により尿を見せず直接の汚物感を与えない精神衛生の効果を発揮する。
【００１９】
導尿バックの損傷破損防止保護安定により就寝尿漏れに対する精神的不安を除き、これの使用による安眠の効果を得る。
【００２０】
導尿バックの損傷破損による尿漏れ処置作業を発生させず、寝具、衣類の交換その他各種処置作業を無くする効果を得る。
【図面の簡単な説明】
【図１】保護容器の実施例を示す表平面図である。
【図２】保護容器の実施例を示す裏平面図である。
【図３】保護容器の実施例を示す横側面図である。
【図４】保護容器の実施例を示す縦方向の上方側面図である。
【図５】保護容器の実施例を示す縦方向の下方側面図である。
【図６】バンド（４）装着の実施例を示す着脱装置（７）の略図である。
【図７】保護容器の実施例を示す全体斜視図である。
【図８】保護容器の導尿バック収納状態実施例を示す全体斜視図である。
【符号の説明】
１　箱型容器、
２　把手、
３　出し入れ口、
４　バンド、
５　表面固定部、
６　底内面固定部、
７　着脱装置、
８　底角部、
９　導尿バック把手空間部、
１０　導尿バック、
１１　導尿バック尿チューブ
【図１】
2004008446.tif 000003
【図２】
2004008446.tif 000004
【図３】
2004008446.tif 000005
【図４】
2004008446.tif 000006
【図５】
2004008446.tif 000007
【図６】
2004008446.tif 000008
【図７】
2004008446.tif 000009
【図８】
2004008446.tif 000010